(57)【特許請求の範囲】
【請求項１】
第１支持部と第２支持部と開口を有し、前記開口はフレームの中央部に位置し、ディスプレイ領域となり、前記第１支持部と前記第２支持部は一体形成されるとともに内向きに突出する方法でフレームに形成され、前記第１支持部は第１支持面を有し、前記第２支持部は実質的に前記第１支持面と平行な第２支持面を有するフレームと、
ガラスモジュールとバックライトモジュールとを含み、前記ガラスモジュールが、一方向に沿って前記第１支持面へ接着されるとともに、前記バックライトモジュールが前記一方向に沿って前記第２支持面へ接着され、前記一方向は前記ディスプレイ領域のディスプレイ面の法線ベクトルであるパネルモジュールとを含み、
前記パネルモジュールが、接着剤のみを採用し前記フレームに貼り付けられるとともに、前記接着剤はエポキシ樹脂を含み、前記フレームが前記パネルモジュールを実質的に支持する唯一の構造であることを特徴とする、ディスプレイモジュール。
【請求項２】
前記ディスプレイモジュールが、バックライト源を備える請求項１記載のディスプレイモジュール。
【請求項３】
前記第１支持部が、前記第２支持部の位置よりも外側に位置するように前記フレームに配置されている請求項１記載のディスプレイモジュール。
【請求項４】
前記バックライトモジュールが、光源と反射板と導光板と光学フィルムセットとを含む請求項１記載のディスプレイモジュール。
【請求項５】
前記光源が、ランプチューブまたは発光ダイオード（light emitting diode = LED）ランプバーを含む請求項４記載のディスプレイモジュール。
【請求項６】
前記ガラスモジュールが、第１ガラス板と、第２ガラス板と、前記第１ガラス板および第２ガラス板間に配置された液晶層とを含む請求項１記載のディスプレイモジュール。
【請求項７】
前記パネルモジュールの前記第１側と前記第２側とが、互いに平行な平面である請求項１記載のディスプレイモジュール。
【請求項８】
前記ディスプレイモジュールが、バックライト源を有さない請求項１記載のディスプレイモジュール。
【請求項９】
前記ガラスモジュールが前記第１支持部に接着され、前記ガラスモジュールが第１ガラス板と第２ガラス板と前記第１ガラス板ならびに前記第２ガラス板間に配置される有機発光層とを含む請求項８記載のディスプレイモジュール。
【請求項１０】
前記ディスプレイモジュールが更に前記フレームを介してカバーを固定するとともに、前記ディスプレイモジュールおよび前記カバーが組み合わされてディスプレイ装置を形成する請求項１記載のディスプレイモジュール。
【請求項１１】
前記カバーが第１固定部を含み、かつ前記フレームが第２固定部を含む請求項１０記載のディスプレイモジュール。
【請求項１２】
前記第１固定部が前記第２固定部にパチンと閉じられるとともに、前記カバーが前記フレームに固定される請求項１１記載のディスプレイモジュール。
【請求項１３】
前記ディスプレイ装置が更に装飾細片を含み、かつ前記装飾細片が前記パネルモジュールの周縁を取り囲んで前記パネルモジュールを保護する請求項１０記載のディスプレイモジュール。
【請求項１４】
前記ディスプレイ装置が更に装飾カバーを含むとともに、前記装飾カバーが前記パネルモジュールに連接された駆動モジュール板をカバーする請求項１０記載のディスプレイモジュール。
【請求項１５】
前記カバーが前記フレームに固定された後、前記カバーの側壁が前記フレームの側壁をカバーして前記ディスプレイ装置の光線漏れを回避する請求項１０記載のディスプレイモジュール。
【請求項１６】
第１支持部と第２支持部と開口を有し、前記開口はフレームの中央部に位置し、ディスプレイ領域となり、前記第１支持部と前記第２支持部は一体形成されるとともに内向きに突出する方法でフレームに形成され、前記第１支持部は第１支持面を有し、前記第２支持部は実質的に前記第１支持面と平行な第２支持面を有するフレームと、
ガラスモジュールとバックライトモジュールとを含み、前記ガラスモジュールが、一方向に沿って前記第１支持面へ接着されるとともに、前記バックライトモジュールが前記一方向に沿って前記第２支持面へ接着され、前記一方向は前記ディスプレイ領域のディスプレイ面の法線ベクトルであるパネルモジュールとを含み、
カバーであり、前記フレームに固定されてディスプレイ装置を形成し、前記フレームならびに前記カバーが実質的に前記パネルモジュールを支持する、カバーと、
を含むディスプレイ装置。
【請求項１７】
前記ディスプレイ装置がバックライト源を有する請求項１６記載のディスプレイ装置。
【請求項１８】
前記第１支持部が、前記第２支持部の位置よりも外側に位置するように前記フレームに配置されている請求項１６記載のディスプレイ装置。
【請求項１９】
前記バックライトモジュールが、光源と、反射板と、導光板と、光学フィルムセットとを含む請求項１６記載のディスプレイ装置。
【請求項２０】
前記光源が、ランプチューブまたは発光ダイオード（light emitting diode = LED）ランプバーを含む請求項１９記載のディスプレイ装置。
【請求項２１】
前記ガラスモジュールが、第１ガラス板と、第２ガラス板と、前記第１ガラス板および第２ガラス板間に配置された液晶層とを含む請求項１６記載のディスプレイ装置。
【請求項２２】
前記ディスプレイ装置が、バックライト源を有さない請求項１６記載のディスプレイ装置。
【請求項２３】
前記ガラスモジュールが前記第１支持部に接着され、前記ガラスモジュールが第１ガラス板と第２ガラス板とを含むとともに、有機発光層が前記第１ガラス板および前記第２ガラス板間に配置される請求項２２記載のディスプレイ装置。
【請求項２４】
前記カバーが第１固定部を含み、前記フレームが第２固定部を含む請求項１６記載のディスプレイ装置。
【請求項２５】
前記第１固定部が前記第２固定部にパチンと閉じられる時、前記カバーがフレームに固定される請求項２４記載のディスプレイ装置。
【請求項２６】
さらに、前記パネルモジュールの周縁を取り囲んで前記パネルモジュールを保護する装飾細片を含む請求項１６記載のディスプレイ装置。
【請求項２７】
さらに、パネルモジュールに連接された駆動モジュール板をカバーする装飾カバーを含む請求項１６記載のディスプレイ装置。
【請求項２８】
前記カバーが前記フレームに固定された後、前記カバーの側壁が前記フレームの側壁をカバーして前記ディスプレイ装置の光線漏れを回避する請求項１６記載のディスプレイ装置。
【請求項２９】
ディスプレイモジュールを組み立てる方法が、
(a)第１支持部と第２支持部と開口を有し、前記開口はフレームの中央部に位置し、ディスプレイ領域となり、前記第１支持部と前記第２支持部は一体形成されるとともに内向きに突出する方法でフレームに形成され、前記第１支持部は第１支持面を有し、前記第２支持部は実質的に前記第１支持面と平行な第２支持面を有するフレームを提供するステップと、
(b)ガラスモジュールとバックライトモジュールとを含み、前記ガラスモジュールが、一方向に沿って前記第１支持面へ接着されるとともに、前記バックライトモジュールが前記一方向に沿って前記第２支持面へ接着され、前記一方向は前記ディスプレイ領域のディスプレイ面の法線ベクトルであるパネルモジュールを提供するステップと、
を含み、
前記パネルモジュールが、接着剤のみを採用し前記フレームに貼り付けられるとともに、前記接着剤はエポキシ樹脂を含み、前記フレームが前記パネルモジュールを実質的に支持する唯一の構造であることを特徴とする、ディスプレイモジュールを組み立てる方法。
【請求項３０】
前記ディスプレイモジュールがバックライト源を有する請求項２９記載のディスプレイモジュールを組み立てる方法。
【請求項３１】
前記第１支持部が第２支持部の位置よりも外側に位置するように前記フレーム上に配置される請求項２９記載のディスプレイモジュールを組み立てる方法。
【請求項３２】
前記バックライトモジュールが光源と反射板と導光板と光学フィルムセットとを含む請求項２９記載のディスプレイモジュールを組み立てる方法。
【請求項３３】
前記光源がランプチューブまたは発光ダイオード（light emitting diode = LED）ランプバーを含む請求項３２記載のディスプレイモジュールを組み立てる方法。
【請求項３４】
前記ガラスモジュールが第１ガラス板と第２ガラス板と、前記第１ガラス板および前記第２ガラス板間に配置される液晶層とを含む請求項２９記載のディスプレイモジュールを組み立てる方法。
【請求項３５】
前記パネルモジュールの前記第１ガラス板と前記第２ガラス板とが互いに平行な平面である請求項２９記載のディスプレイモジュールを組み立てる方法。
【請求項３６】
前記ディスプレイモジュールがバックライト源を有さない請求項２９記載のディスプレイモジュールを組み立てる方法。
【請求項３７】
前記ガラスモジュールが、第１ガラス板と、第２ガラス板と、前記第１ガラス板ならびに前記第２ガラス板間に配置される有機発光層とを含む請求項３６記載のディスプレイモジュールを組み立てる方法。
【請求項３８】
さらに、
ディスプレイモジュールが組み立てられた後、前記フレームの第２固定部にカバーの第１固定部をパチンと閉じて前記カバーを前記ディスプレイモジュールに固定してディスプレイ装置を形成する段階を含む請求項２９記載のディスプレイモジュールを組み立てる方法。
【請求項３９】
さらに、
前記ディスプレイモジュールが組み立てられた後、前記パネルモジュールの周縁に装飾細片を組み立てて前記パネルモジュールを保護する段階を含む請求項３８記載のディスプレイモジュールを組み立てる方法。
【請求項４０】
さらに、
前記ディスプレイモジュールが組み立てられた後、装飾カバーを使用して前記パネルモジュールに連接された駆動モジュール板をカバーする段階を含む請求項３８記載のディスプレイモジュールを組み立てる方法。
【請求項４１】
前記カバーが前記フレームに固定された後、前記カバーの側壁が前記フレームの側壁をカバーして前記ディスプレイ装置の光線漏れを回避する段階を含む請求項３８記載のディスプレイモジュールを組み立てる方法。
【請求項４２】
ディスプレイ装置を組み立てる方法が、
(a)第１支持部と第２支持部と開口を有し、前記開口はフレームの中央部に位置し、ディスプレイ領域となり、前記第１支持部と前記第２支持部は一体形成されるとともに内向きに突出する方法でフレームに形成され、前記第１支持部は第１支持面を有し、前記第２支持部は実質的に前記第１支持面と平行な第２支持面を有するフレームを提供するステップと、
(b)ガラスモジュールとバックライトモジュールとを含み、前記ガラスモジュールが、一方向に沿って前記第１支持面へ接着されるとともに、前記バックライトモジュールが前記一方向に沿って前記第２支持面へ接着され、前記一方向は前記ディスプレイ領域のディスプレイ面の法線ベクトルであるパネルモジュールを提供するステップと、
(c)カバーであり、前記フレームに固定されてディスプレイ装置を形成し、前記フレームならびに前記カバーが実質的に前記パネルモジュールを支持する、カバーを提供するステップと、
を含み、
前記パネルモジュールが、接着剤のみを採用し前記フレームに貼り付けられるとともに、前記接着剤はエポキシ樹脂を含むことを特徴とする、ディスプレイ装置を組み立てる方法。
【請求項４３】
前記ディスプレイ装置がバックライト源を有する請求項４２記載のディスプレイ装置を組み立てる方法。
【請求項４４】
前記第１支持部が、前記第２支持部の位置よりも外側に位置するように前記フレームに配置されている請求項４２記載のディスプレイ装置を組み立てる方法。
【請求項４５】
前記バックライトモジュールが、光源と、反射板と、導光板と、光学フィルムセットとを含む請求項４２記載のディスプレイ装置を組み立てる方法。
【請求項４６】
前記光源が、ランプチューブまたは発光ダイオード（light emitting diode = LED）ランプバーを含む請求項４５記載のディスプレイ装置を組み立てる方法。
【請求項４７】
前記ガラスモジュールが第１ガラス板と第２ガラス板と前記第１ガラス板および前記第２ガラス板間に配置される液晶層とを含む請求項４２記載のディスプレイ装置を組み立てる方法。
【請求項４８】
前記ディスプレイモ装置がバックライト源を有さない請求項４２記載のディスプレイ装置を組み立てる方法。
【請求項４９】
前記ガラスモジュールが、第１ガラス板と、第２ガラス板と、前記第１ガラス板ならびに前記第２ガラス板間に配置される有機発光層とを含む請求項４２記載のディスプレイ装置を組み立てる方法。
【請求項５０】
前記カバーを前記フレーム上に固定するステップが更に、前記カバーの第１固定部を前記フレームの第２固定部をパチンと閉じて、前記カバーをディスプレイモジュールに固定して前記ディスプレイ装置を形成する請求項４２記載のディスプレイ装置を組み立てる方法。
【請求項５１】
さらに、ディスプレイ装置が組み立てられた後、前記パネルモジュールの周縁に装飾カバーを組み立てて前記パネルモジュールを保護する段階を含む請求項４２記載のディスプレイ装置を組み立てる方法。
【請求項５２】
さらに、ディスプレイ装置が組み立てられた後、装飾カバーを使用して前記パネルモジュールに連接された駆動モジュール板をカバーする段階を含む請求項４２記載のディスプレイ装置を組み立てる方法。
【請求項５３】
前記カバーが前記フレームに固定された後、前記カバーの側壁が前記フレームの側壁をカバーして前記ディスプレイ装置の光線漏れを回避する請求項４２記載のディスプレイ装置を組み立てる方法。
【発明の詳細な説明】
【技術分野】
【０００１】
この発明は、ディスプレイモジュールに関する。特に、ディスプレイ装置中に使用されるディスプレイモジュールに関する。
【背景技術】
【０００２】
半導体装置およびディスプレイ技術の発展に伴い、電子製品は、引き続き小型化、多機能性ならびに携帯しやすいという方向に向かって発展している。一般に使用される携帯可能な電子製品は、ノートブックコンピューター（notebook computer）、タブレットコンピューター（tablet computer）およびモバイルフォン（mobile phone）などを含む。ノートブックコンピューターを実例にあげて言えば、ホストとディスプレイ装置とが互いに連接されて軸回転するような（pivotally）構成となっている。ユーザーは、ノートブックコンピューターのホストとディスプレイ装置とを閉じて容易に持ち運ぶことができるとともに、ノートブックコンピューターが使用されなければならない時、ディスプレイ装置をホストに対して開き容易に操作でき、かつディスプレイされた画像を観ることができる。
【発明の概要】
【発明が解決しようとする課題】
【０００３】
ノートブックコンピューターのディスプレイ装置は、ハウジングと、パネルモジュールと、ハウジング中に配置されたバックライトモジュールとを含む。一般に、バックライトモジュールがネジ止め（screw-locking）を介してハウジングのカバーに固定される。ネジ止めのスペースを提供するために、ハウジングが一定程度の厚さを有さなければならないとともに、ネジ孔がパネルモジュールの周縁にセットされなければならず、ディスプレイ装置の厚さおよびそのディスプレイ領域が制限される。
【０００４】
そこで、この発明の目的は、比較的薄い厚さ及び比較的広いディスプレイ領域を有するディスプレイ装置を提供することにある。
【課題を解決するための手段】
【０００５】
この発明は、フレームとパネルモジュールとを含むディスプレイモジュールを提供し、フレームが開口を有するとともに、パネルモジュールが第１側と第２側とを有する。パネルモジュールがフレームに接着され、かつ開口をカバーしてパネルモジュールをフレームに固定し、パネルモジュールの第１側がディスプレイ領域を含むとともに、フレームがパネルモジュールへの支持を実質的に提供する唯一の構造である。
【０００６】
この発明はフレームとパネルモジュールとカバーとを含むディスプレイ装置を提供する。パネルモジュールが第１側と第２側とを有する。パネルモジュールがフレームに接着されてディスプレイモジュールを形成する。カバーがフレームに固定されるとともに、パネルモジュールの第２側に隣接してディスプレイ装置を形成し、フレームおよびカバーがパネルモジュールへの支持を提供する。
【０００７】
この発明は、ディスプレイモジュールを組み立てる方法を提供し、それが次のステップを含む。先ず、開口を有するフレームと第１側ならびに第２側を有するパネルモジュールとが提供される。そして、パネルモジュールのフレームに接着されるとともに、開口をカバーしてディスプレイモジュールを形成し、パネルモジュールの第１側がディスプレイ領域を含み、かつフレームがパネルモジュールへの支持を実質的に提供する唯一の構造である。
【０００８】
この発明は、ディスプレイ装置を組み立てる方法を提供し、それが次のステップを含む。先ず、フレームおよび第１側と第２側とを有するパネルモジュールが提供される。そして、パネルモジュールの第２側がフレームに接着されてディスプレイモジュールを形成し、パネルモジュールの第１側がディスプレイ領域を含む。最後に、カバーがフレームに固定されるとともに、カバーがパネルモジュールの第２側に隣接してディスプレイ装置を形成し、フレームおよびカバーがパネルモジュールへの支持を提供する。
【０００９】
この発明の実施形態中、パネルモジュールが接着剤によりフレームに実質的にしっかりと貼り付けられるとともに、接着剤がエポキシ樹脂を含む。
【００１０】
この発明の実施形態中、フレームがパネルモジュールを取り囲むとともに、パネルモジュールに接着される。
【００１１】
この発明の実施形態中、フレームの開口がディスプレイ領域の輝度を増大させるために使用されるものである。
【００１２】
この発明の実施形態中、ディスプレイモジュールがバックライト源を有する。
【００１３】
この発明の実施形態中、パネルモジュールがガラスモジュールとバックライトモジュールとを含み、かつフレームが第１支持部と第２支持部とを含む。
【００１４】
この発明の実施形態中、ガラスモジュールが一方向に沿って第１支持部に接着されるとともに、バックライトモジュールが一方向に沿って第２支持部に接着される。
【００１５】
この発明の実施形態中、一方向がディスプレイ領域のディスプレイ面の法線ベクトル（normal vector）である。
【００１６】
この発明の実施形態中、第１支持部が第２支持部の位置よりも外側に位置するようにフレーム上に配置される。
【００１７】
この発明の実施形態中、パネルモジュールの第１側と第２側とが互いに平行な平面である。
【００１８】
この発明の実施形態中、バックライトモジュールが光源と反射板と導光板と光学フィルムセットとを含む。
【００１９】
この発明の実施形態中、光源がランプチューブまたは発光ダイオード（light emitting diode = LED）ランプバーを含む。
【００２０】
この発明の実施形態中、ガラスモジュールが第１ガラスプレートと第２ガラスプレートとを含み、液晶層が第１ガラスプレートおよび第２ガラスプレート間に形成される。
【００２１】
この発明の実施形態中、ディスプレイモジュールがバックライト源を有さない。
【００２２】
この発明の実施形態中、パネルモジュールがガラスモジュールを含むとともに、フレームが支持部を含む。
【００２３】
この発明の実施形態中、ガラスモジュールが支持部に接着され、かつガラスモジュールが第１ガラス板と第２ガラス板とを含み、有機発光層が第１ガラス板ならびに第２ガラス板間に形成される。
【００２４】
この発明の実施形態中、カバーが第１固定部を含むとともに、フレームが第２固定部を含む。
【００２５】
この発明の実施形態中、第１固定部が第２支持部にパチンと閉められる時、カバーがフレームに固定される。
【００２６】
この発明の実施形態中、ディスプレイ装置が更に装飾細片（trim strip）を含むとともに、パネルモジュールの周縁を取り囲んでパネルモジュールを保護する。
【００２７】
この発明の実施形態中、ディスプレイ装置が更に装飾カバー（trim cover）を含み、装飾カバーがパネルモジュールに連接された駆動モジュール板をカバーするために使用される。
【発明の効果】
【００２８】
パネルモジュールおよびフレームが接着されてディスプレイモジュールを形成するとともに、フレームがパネルモジュールへ支持を提供する実質的に唯一の構造である。そして、カバーがフレームに固定されてディスプレイ装置の組み立てを完了する。ディスプレイモジュールがネジ止め方式を使用することなしにカバーに固定され、カバーがネジ止めスペース（screw-locking space）を提供する必要がないため、構造全体が比較的薄い厚さのものとなる。さらに、ネジ孔を必要としない構成のために、ディスプレイモジュールが比較的大きなディスプレイ領域を有するものとなる。
【図面の簡単な説明】
【００２９】
【図１】この発明の実施形態にかかるディスプレイ装置を示す正面図である。
【図２】図１のディスプレイ装置を示す背面図である。
【図３】図１のディスプレイ装置を示す分解斜視図である。
【図４】図１のディスプレイ装置の一部を示す断面図である。
【図５】図４の互いに分離されたカバーとフレームとを示す断面図である。
【図６】図３のフレームを示す正面図である。
【図７】図１のディスプレイ装置の部材の一部を示す分解斜視図である。
【図８Ａ】この発明の実施形態にかかるディスプレイモジュールを組み立てる方法を示すフローチャートである。
【図８Ｂ】この発明の実施形態にかかるディスプレイ装置を組み立てる方法を示すフローチャートである。
【発明を実施するための形態】
【００３０】
以下、この発明を実施するための形態を図面に基づいて説明する。
図１は、この発明の実施形態にかかるディスプレイ装置を示す正面図である。図２は、図１のディスプレイ装置を示す平面図である。図３は、図１のディスプレイ装置を示す分解斜視図である。この発明の構造は、バックライト源を有するディスプレイ装置またはバックライト源を備えないディスプレイ装置（自発光型表示装置  self-luminous display device）に適用することができ、バックライト源を有するディスプレイ装置は、液晶ディスプレイ（liquid crystal display = LCD）であることができる。バックライト源を備えないディスプレイ装置は、有機発光ダイオード（organic light emitting diode = OLED）ディスプレイ装置であることができる。次の第１実施形態中、この発明の構造がバックライト源を有するディスプレイ装置に適用されるものの、この発明は、それに限定されるものではない。図１〜図３において、第１実施形態のディスプレイ装置１００は、カバー１１０と、フレーム１２０とを含み、パネルモジュールがガラスモジュール１３０とバックライトモジュール１４０とを含む。フレーム１２０がカバー１１０に固定できるとともに、パネルモジュールが一方向に沿ってフレーム１２０に接着されることができ、上記方向がディスプレイモジュール上のディスプレイ領域のディスプレイ面の法線方向（normal line direction  垂直線方向）である。ディスプレイ装置１００がバックライト源を有する時、ディスプレイモジュールがバックライト源を有する。第１実施形態のディスプレイ装置１００は、例えば、ノートブックコンピューターに適用され、ディスプレイ装置１００が図３に示したヒンジ１１０ａを介してノートブックコンピューターのホスト（図示せず）に軸回転するように（pivotally）連接されてノートブックコンピューターを形成する。別な実施形態中、ディスプレイ装置１００は、またタブレットコンピューター、モバイルフォンおよびテレビジョンなどのような電子装置としても利用できる。
【００３１】
図４は、図１のディスプレイ装置の一部を示す断面図である。図４において、詳細には、第１実施形態のカバー１１０がベース板１１２と側壁１１４とを有するとともに、フレーム１２０が内部へ突出した支持部を有し、かつ支持部が第１支持部１２２と第２支持部１２４とを含む。第１支持部１２２の第１側１２２ａがカバー１１０の側壁１１４にパチンと閉められる（snapped to）とともに、第２支持部１２４が第１支持部１２２の第２側１２２ｂに連接し、かつ製品の設計必要性に基づいてカバー１１０のベース板１１２に寄り掛かる（leaned against）又は寄り掛からないものとなる。ガラスモジュール１３０が一方向に沿って第１支持部１２２に接着されるとともに、バックライトモジュール１４０がガラスモジュール１３０およびベース板１１２間に配置され、かつ同一方向に沿って第２支持部１２４に接着され、ガラスモジュール１３０とバックライトモジュール１４０とフレーム１２０との接着方向がディスプレイモジュールのディスプレイ領域１３２のディスプレイ面の法線方向（垂直線方向）である。製品の設計必要性に従って、第１支持部１２２が第２支持部１２４のそれよりも外側に位置するようにフレーム１２０上に配置されて、光源の光線がバックライトモジュール１４０を介して全般的にガラスモジュール１３０を透過できる。フレーム１２０が中央に開口を有するとともに、バックライトモジュール１４０によって生産された光線が開口を介してガラスモジュール１３０を順調に透過することができて、ディスプレイ領域１３２（図３を参照）の輝度を増大させる。パネルモジュールがフレーム１２０に接着される時、フレーム１２０がパネルモジュールの周縁を取り囲むとともに、パネルモジュールが開口をカバーしてディスプレイ領域１３２の輝度を増大させる。さらに、製品の設計必要性に従って、フレーム１２０が更にガラスモジュール１３０が第１支持部１２２から離れることを防止するために、ストップ部１２６（図４右下）を含むことができ、更にガラスモジュール１３０を保護する。フレーム１２０がストップ部１２６を有さない時、実施形態のディスプレイ装置１００が更に装飾細片（trim strip）１９０（図１、図３を参照）を含み、装飾細片１９０がガラスモジュール１３０の周縁を取り囲むとともに、フレーム１２０またはカバー１１０に連結させてガラスモジュール１３０のガラス板が衝撃のために亀裂を生じることから保護する。ガラスモジュール１３０が第１側と第２側とを含み、ガラスモジュール１３０の第１側がディスプレイ領域１３２（図３）を含み、かつストップ部１２６または装飾細片１９０と接触するために使用される。ガラスモジュール１３０の第２側がバックライトモジュール１４０に接触または接着される。パネルモジュールがまた第１側および第２側を含み、パネルモジュールの第１側がガラスモジュール１３０の第１側であり、かつディスプレイ領域１３２を含む。パネルモジュールの第２側がフレーム１２０に接着するために使用されて、パネルモジュールとフレーム１２０と組み合わせて、ディスプレイモジュールを形成する。パネルモジュールの第１側および第２側が互いに平行な平面となる。
【００３２】
上記構成に従って、フレーム１２０がストップ部１２６を有する時、パネルモジュールのガラスモジュール１３０およびバックライトモジュール１４０が全て接着を介してフレーム１２０に固定されるとともに、フレーム１２０がカバー１１０にパチンと閉じられ、かつストップ部１２６を介してガラスモジュール１３０の位置を制限して、ディスプレイモジュールの組み立てを完了する。ディスプレイモジュールがネジ止めを介してカバー１１０に固定されないため、カバー１１０がネジ止めスペースを提供する必要が無く、構造全体が比較的薄い厚さを有するとともに、ディスプレイモジュールがネジ孔を必要としないため、比較的大きなディスプレイ領域１３２（図１と図３とに図示）を有する。パネルモジュールのガラスモジュール１３０およびバックライトモジュール１４０が接着によりフレーム１２０に実質的に確実に貼り付けられ、フレーム１２０が実質的にパネルモジュールへの支持を提供する唯一の構造となる。ディスプレイモジュールおよびカバー１１０がフレーム１２０を支持するために組み合わされてディスプレイ装置１００を形成する。
【００３３】
第１実施形態中、第１支持部１２２および第２支持部１２４の材料が例えばクッション効果を有するプラスチックであり、ガラスモジュール１３０およびバックライトモジュール１４０への支持を提供できる。ストップ部１２０の材料が例えばラバーであり、ダブル射出成形を介して第１支持部１２２ならびに第２支持部１２４を一緒に作製し、一体構造を形成することができる。第１実施形態のカバー１１０の材料が例えばアルミニウムまたは他の適切な金属材料である。しかし、この発明は、それに限定されるものではなく、別な実施形態中、カバー１１０の材料もまたプラスチックであることができ、カバー１１０が一体成形された構造的に強化されるリブまたは構造強度を向上させるために用いられる金属部材を有する。
【００３４】
詳細には、第１実施形態の第１支持部１２２のが第１支持表面１２２ｃを有し、第２支持部１２４が第２支持表面１２４ａを有する。第１支持表面１２２ｃおよびベース板１１２間の距離が第２支持表面１２４ａならびにベース板１１２間の距離よりも大きい。ベース板１１２上のガラスモジュール１３０の周縁部１３４の正投影がベース板１１２上のバックライトモジュール１４０の正投影と重複しない。このようにして、互いに積み重ねられたガラスモジュール１３０およびバックライトモジュール１４０がそれぞれ第１支持表面１２２ｃならびに第２支持表面１２４ａに接着され、ガラスモジュール１３０がその周縁部１３４を介して第１支持表面１２２ｃに接着されるとともに、パネルモジュールとフレーム１２０とを接着するために用いられる接着剤がエポキシ（epoxy）樹脂を含む。
【００３５】
さらに、第１実施形態のカバー１１０の側壁１１４が第１固定部１１４ａを有し、かつフレーム１２０の第１支持部１２２が第２固定部１２２ｄを有するとともに、第１固定部１１４ａが第２固定部１２２ｄにパチンと閉じられてカバー１１０をフレーム１２０に固定する。カバー１１０がフレーム１２０に固定されてディスプレイ装置を形成した後、カバー１１０がパネルモジュールの第２側に隣接し、かつカバー１１０およびフレーム１２０がディスプレイモジュールの構造強度を強化するようパネルモジュールに支持を提供する。カバー１１０がフレーム１２０に固定された後、カバー１１０の側壁１１４が対応するフレーム１２０の側壁をカバーして、ディスプレイ装置の光線漏れを回避する。図５は、図４の互いに分離されたカバーとフレームとを示す断面図である。図４と図５とにおいて、組み立て期間に、ガラスモジュール１３０ならびにバックライトモジュール１４０がそれぞれ図５に示すようにフレーム１２０に接着される。そして、カバー１１０の第１固定部１１４ａがフレーム１２０の第２固定部１２２ｄにパチンと閉じられてカバー１１０の組み立てを完了するとともに、ディスプレイ装置を形成する。
【００３６】
図６は、図３のフレームを示す正面図である。図１と図３と図６とにおいて、第１実施形態のディスプレイ装置１００が更にレンズモジュール１５０とアンテナ１６０と駆動モジュール板１７０とを含む。レンズモジュール１５０およびアンテナ１６０がフレーム１２０に配置されるとともに、駆動モジュール板１７０がガラスモジュール１３０に接続され、かつフレーム１２０に組み込まれ、駆動モジュール板１７０がガラスモジュール１３０に電気接続されてガラスモジュール１３０駆動し画像を表示する。第１実施形態のディスプレイ装置１００が更に装飾カバー１８０と装飾細片１９０とを含み、装飾カバー１８０がフレーム１２０のサイドエッジから延伸された駆動モジュール板１７０をカバーするとともに、装飾細片１９０がガラスモジュール１３０の周縁をカバーし、かつディスプレイ領域１３２を露出させて、ディスプレイ装置がより良い外観を有するとともに、ガラスモジュール１３０上のガラス板が保護される。
【００３７】
図４において、バックライト源を有するディスプレイ装置１００がＬＣＤである時、第１実施形態のガラスモジュール１３０が第１ガラス板１３６と液晶層１３７と第２ガラス板１３８とを含む。第１ガラス板１３６がパネルモジュールの第２側に位置するとともに、第１支持部１２２に接着され、液晶層１３７が第１ガラス板１３６および第２ガラス板１３８間に配置される。第２ガラス板１３８がパネルモジュールの第１側に位置し、かつストップ部１２６または装飾細片１９０と接触するために使用される。第１ガラス板１３６ならびに第２ガラス板１３８の材料が例えば高い強度を備える透明材料であり、それがその間に注入された液晶層１３７を保護することができるとともに、バックライトモジュール１４０から発射された光線が第１ガラス板１３６を介して液晶層１３７に到達し、かつ光線が処理された後、ユーザーが第２ガラス板１３８を介してディスプレイモジュールにより表示された画像を見ることができる。
【００３８】
図７は、図１のディスプレイ装置の部材の一部を示す分解斜視図である。図３と図４と図７とにおいて、第１実施形態のバックライトモジュール１４０は、光源１４２と、反射板１４４と、導光板１４６と、光学フィルムセット１４８とを含み、そのうち、光源がランプチューブまたは発光ダイオード（ＬＥＤ）ランプバーである。ランプバー（光源）１４２と反射板１４４とがフレーム１２０の第２支持部１２４に接着される。導光板１４６が反射板１４４上に配置され、光学フィルムセット１４８が導光板１４６上に配置され、導光板１４６が反射板１４４および光学フィルムセット１４８間に位置するとともに、光学フィルムセット１４８が導光板１４６ならびにガラスモジュール１３０間に位置する。導光板１４６の一側がランプバー（光源）１４２に隣接し、ランプバー（光源）１４２の発射した光線が導光板１４６へ進入することに適しているとともに、反射板１４４により反射されて、光学フィルムセット１４８を介してガラスモジュール１３０に到達する。
【００３９】
この発明の第２実施形態中、ディスプレイ装置がバックライト源を有していない。第２実施形態および第１実施形態間の主要な差異は、ディスプレイモジュールがバックライトモジュールを使用しないでも均一な発光効果を備えることにある。バックライト源なしのディスプレイ装置がOLED（有機発光ダイオード）ディスプレイ装置である時、有機発光層は、一般に液晶層の代わりにガラスモジュール１３０中にパッケージされ、パネルモジュールがガラスモジュール１３０だけを含むとともに、フレーム１２０の支持体がパネルモジュールを支持するために唯１つの支持部を備える。パネルモジュールがフレーム１２０の支持部に接着される時、フレーム１２０は、実質的にパネルモジュールへの支持を提供する唯一の構造である。
【００４０】
図８Ａにおいて、図８Ａは、この発明の実施形態にかかるディスプレイモジュールを組み立てる方法を示すフローチャートである。先ず、ステップＳ６０２中、パネルモジュールが提供され、かつ、パネルモジュールが第１側と第２側とを含む。そして、ステップＳ６０４中、フレームが提供され、フレームが開口を有する。ディスプレイモジュールがバックライト源を有する時、フレームが第１支持部と第２支持部とを有する支持体を備える。ディスプレイモジュールがバックライト源を備えない時、支持体が１つの支持部を備える。ステップＳ６０６中、パネルモジュールの第２側がフレームに接着され、かつ開口をカバーしてディスプレイモジュールを形成し、フレームは、実質的にパネルモジュールへの支持を提供する唯一の構造である。パネルモジュールの第１側がディスプレイ領域を含む。ディスプレイモジュールがバックライト源を有する時、パネルモジュールがガラスモジュールとバックライトモジュールとを含み、バックライトモジュールが第２支持部に接着されるとともに、ガラスモジュールが同一方向に沿って第１支持部に接着され、パネルモジュールがフレームに接着されてディスプレイモジュールを形成する。ディスプレイモジュールがバックライト源を備えない時、パネルモジュールがガラスモジュールだけを含み、組み立て期間に、ガラスモジュールだけがフレームに接着されることを求められて、ディスプレイモジュールを形成する。
【００４１】
図８Ｂにおいて、図８Ｂは、この発明の実施形態にかかるディスプレイ装置を組み立てる方法を示すフローチャートである。先ず、ステップＳ７０２中、フレームが提供される。そして、ステップＳ７０４中、パネルモジュールが提供され、かつパネルモジュールが第１側と第２側とを含む。ディスプレイ装置がバックライト源を有する時、フレームが第１支持部と第２支持部とを有する支持体を含む。ディスプレイ装置がバックライト源を備えない時、支持体が１つの支持部だけを有する。ステップＳ７０６中、パネルモジュールの第２側がフレームに接着されてディスプレイ装置を形成し、パネルモジュールの第１側がディスプレイ領域を含む。ディスプレイ装置がバックライト源を有する時、パネルモジュールがガラスモジュールとバックライトモジュールとを含み、バックライトモジュールが先ず、第２支持部に接着され、そしてガラスモジュールが同一方向に沿って第１支持部に接着され、パネルモジュールがフレームに接着されてディスプレイモジュールを形成する。ディスプレイモジュールがバックライト源を備えない時、パネルモジュールがガラスモジュールだけを含むので、組み立て期間に、ガラスモジュールだけがフレームに接着されることを求められてディスプレイモジュールを形成する。最後に、ステップＳ７０８中、カバーがフレームに固定されてディスプレイ装置を形成し、カバーの側壁上の第１固定部がフレームの第２固定部にパチンと閉まる。カバーがフレームに固定された後、カバーおよびフレームがディスプレイモジュールの構造を強化するようパネルモジュールを支援する。ディスプレイ装置が形成された後、装飾細片がパネルモジュールの周囲に組み立てられてガラスモジュールを保護し、装飾フレームが異なる製品デザインに従いフレームまたはカバーに組み合わされることができるが、この発明により限定されるものではない。
【００４２】
パネルモジュールおよびフレームが接着されてディスプレイモジュールを形成するとともに、フレームがパネルモジュールへ支持を提供する実質的に唯一の構造である。そして、カバーがフレームに固定されてディスプレイ装置の組み立てを完了する。ディスプレイモジュールがネジ止め方式を使用することなしにカバーに固定され、カバーがネジ止めスペース（screw-locking space）を提供する必要がないため、構造全体が比較的薄い厚さのものとなる。さらに、ネジ孔を必要としない構成のために、ディスプレイモジュールが比較的大きなディスプレイ領域を有するものとなる。
【産業上の利用可能性】
【００４３】
この発明は、ディスプレイ装置において使用されているディスプレイモジュールである。ディスプレイ装置は、ノートブックコンピューター、タブレットコンピューター、モバイルフォンおよびテレビジョンなどのようなディスプレイ装置である。
【００４４】
以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００４５】
１００  ディスプレイ装置
１１０  カバー
１１２  ベース板
１１４  側壁
１１４ａ  第１固定部
１２０  フレーム
１２２  第１支持部
１２２ａ  第１側
１２２ｂ  第２側
１２２ｃ  第１支持表面
１２２ｄ  第２固定部
１２４  第２支持部
１２４ａ  第２支持表面
１２６  ストップ部
１３０  ガラスモジュール
１３２  ディスプレイ領域
１３４  周縁部
１３６  第１ガラス板
１３７  液晶層
１４０  バックライトモジュール
１４２  ランプバー（光源）
１４４  反射板
１４６  導光板
１４８  光学フィルムセット
１５０  レンズモジュール
１６０  アンテナ
１７０  駆動モジュール板
１８０  装飾カバー
１９０  装飾細片
【図１】
0005539271.tif 000002
【図２】
0005539271.tif 000003
【図３】
0005539271.tif 000004
【図４】
0005539271.tif 000005
【図５】
0005539271.tif 000006
【図６】
0005539271.tif 000007
【図７】
0005539271.tif 000008
【図８Ａ】
0005539271.tif 000009
【図８Ｂ】
0005539271.tif 000010